【手続補正書】
【提出日】平成21年11月20日(2009.11.20)
【手続補正１】
【補正対象書類名】特許請求の範囲
【補正対象項目名】全文
【補正方法】変更
【補正の内容】
【特許請求の範囲】
【請求項１】
コンテンツ毎の印象を表すための３種類の項目それぞれを数値化して得られる第１乃至第３の印象項目値を３次元空間座標として、複数の当該３次元空間座標にそれぞれ上記コンテンツを示すコンテンツ表示子が配置された３次元空間画像をそれぞれ異なる視点から見たように生成された複数の２次元平面画像を記録する記録部と、
上記記録部に記録された上記２次元平面画像を表示する表示部と、
上記３次元空間画像を見るための上記視点を変更するように指示するために用いられる指示部と、
上記３次元空間画像を所定の上記視点から見たように生成された上記２次元平面画像を上記記録部から読み出し、当該読み出した上記２次元平面画像を上記表示部に表示している状態で、上記指示部を介して当該視点を変更するように指示されると、変更後の上記視点から上記３次元空間画像を見たように生成された上記２次元平面画像を上記記録部から読み出し、当該読み出した上記２次元平面画像を上記表示部に表示するように制御する表示制御部と
を具える表示装置。
【請求項２】
上記記録部は、
上記３次元空間画像をそれぞれ異なる上記視点から見たときに、当該３次元空間画像内の複数の上記コンテンツ表示子の配置位置に応じて当該複数の上記コンテンツ表示子の遠近を表現するように生成された複数の上記２次元平面画像を記録する
請求項１に記載の表示装置。
【請求項３】
上記表示部に表示された上記２次元平面画像内で任意に選択位置を選択させるために用いられる選択部と、
上記選択部を介して上記２次元平面画像内で上記選択位置が任意に選択されると、当該２次元平面画像内で上記選択位置と最も近い位置の上記コンテンツ表示子を検出する検出部と
を具える請求項２に記載の表示装置。
【請求項４】
上記表示制御部は、
上記２次元平面画像内の、上記検出部により検出された上記コンテンツ表示子を含む所定部分を上記表示部に表示するように制御する
請求項３に記載の表示装置。
【請求項５】
上記コンテンツ表示子に対応する上記コンテンツを再生する再生部
を具え、
上記検出部は、
上記２次元平面画像内で検出した上記コンテンツ表示子に対する上記３次元空間画像内の配置位置を検出すると共に、当該３次元空間画像内の上記検出した上記配置位置を含む所定の空間領域に配置された他の上記コンテンツ表示子を検出し、
上記再生部は、
上記検出部により、上記２次元平面画像内で検出された上記コンテンツ表示子と、上記３次元空間画像内の上記空間領域で検出された他の上記コンテンツ表示子とに対応する上記コンテンツを再生する
請求項３に記載の表示装置。
【請求項６】
コンテンツ毎の印象を表すための３種類の項目それぞれを数値化して得られる第１乃至第３の印象項目値を３次元空間座標として、複数の当該３次元空間座標にそれぞれ上記コンテンツを示すコンテンツ表示子が配置された３次元空間画像をそれぞれ異なる視点から見たように生成された複数の２次元平面画像を記録する記録部と、
上記２次元平面画像を表示する外部装置に対し、上記記録部に記録された上記２次元平面画像を送信する送信部と、
上記外部装置から送信された、上記３次元空間画像を見るための上記視点を変更するように要求する要求情報を受信する受信部と、
上記記録部から上記３次元空間画像を所定の上記視点から見たように生成された上記２次元平面画像を読み出し、当該読み出した上記２次元平面画像を上記送信部から上記外部装置に送信するように制御すると共に、上記受信部により、上記２次元平面画像を表示している上記外部装置から送信された上記要求情報が受信されると、当該受信部により受信された上記要求情報の示す変更後の上記視点から上記３次元空間画像を見たように生成された上記２次元平面画像を上記記録部から読み出し、当該読み出した上記２次元平面画像を上記送信部から上記外部装置に送信するように制御する送信制御部と
を具える画像提供装置。
【請求項７】
上記記録部は、
上記３次元空間画像をそれぞれ異なる上記視点から見たときに、当該３次元空間画像内の複数の上記コンテンツ表示子の配置位置に応じて当該複数の上記コンテンツ表示子の遠近を表現するように生成された複数の上記２次元平面画像を記録する
請求項６に記載の画像提供装置。
【請求項８】
上記２次元平面画像内で任意に選択された選択位置と最も近い位置の上記コンテンツ表示子を検出する検出部
を具え、
上記受信部は、
上記外部装置で表示されている上記２次元平面画像内で上記選択位置が任意に選択されることにより当該外部装置から送信された上記選択位置を示す選択位置情報を受信し、
上記検出部は、
上記外部装置で表示されている上記２次元平面画像内で、上記受信部により受信された上記選択位置情報の示す上記選択位置と最も近い位置の上記コンテンツ表示子を検出する
請求項７に記載の画像提供装置。
【請求項９】
上記送信制御部は、
上記外部装置で表示されている上記２次元平面画像内の、上記検出部により検出された上記コンテンツ表示子を含む所定部分を上記送信部から上記外部装置に送信するように制御する
請求項８に記載の画像提供装置。
【請求項１０】
上記検出部は、
上記２次元平面画像内で検出した上記コンテンツ表示子に対する上記３次元空間画像内の配置位置を検出すると共に、当該３次元空間画像内の上記検出した上記配置位置を含む所定の空間領域に配置された他の上記コンテンツ表示子を検出し、
上記送信制御部は、
上記検出部により、上記２次元平面画像内で検出された上記コンテンツ表示子と、上記３次元空間画像内の上記空間領域で検出された他の上記コンテンツ表示子とに対応する上記コンテンツを上記送信部から上記外部装置に送信するように制御する
請求項８に記載の画像提供装置。
【請求項１１】
コンピュータに対し、
コンテンツ毎の印象を表すための３種類の項目それぞれを数値化して得られる第１乃至第３の印象項目値を３次元空間座標として、複数の当該３次元空間座標にそれぞれ上記コンテンツを示すコンテンツ表示子が配置された３次元空間画像をそれぞれ異なる視点から見たように生成された複数の２次元平面画像が記録された記録媒体から、上記３次元空間画像を所定の上記視点から見たように生成された上記２次元平面画像を読み出し、当該読み出した上記２次元平面画像を表示する表示ステップと、
上記２次元平面画像を表示している状態で、上記３次元空間画像を見るための上記視点を変更するように指示されると、変更後の上記視点から上記３次元空間画像を見たように生成された上記２次元平面画像を上記記録媒体から読み出し、当該読み出した上記２次元平面画像を表示するように制御する表示制御ステップと
を実行させるための表示プログラム。
【請求項１２】
コンピュータに対し、
コンテンツ毎の印象を表すための３種類の項目それぞれを数値化して得られる第１乃至第３の印象項目値を３次元空間座標として、複数の当該３次元空間座標にそれぞれ上記コンテンツを示すコンテンツ表示子が配置された３次元空間画像をそれぞれ異なる視点から見たように生成された複数の２次元平面画像が記録された記録媒体から、上記３次元空間画像を所定の上記視点から見たように生成された上記２次元平面画像を読み出し、当該読み出した上記２次元平面画像を表示用として外部装置に送信する送信ステップと、
上記２次元平面画像を表示している上記外部装置から、上記３次元空間画像を見るための上記視点を変更するように要求されたことにより送信された要求情報を受信する受信ステップと、
上記受信した上記要求情報の示す変更後の上記視点から上記３次元空間画像を見たように生成された上記２次元平面画像を上記記録媒体から読み出し、当該読み出した上記２次元平面画像を上記外部装置に送信するように制御する送信制御ステップと
を実行させるための画像提供プログラム。
【請求項１３】
コンテンツ毎の印象を表すための３種類の項目それぞれを数値化して得られる第１乃至第３の印象項目値を３次元空間座標として、複数の当該３次元空間座標にそれぞれ上記コンテンツを示すコンテンツ表示子が配置された３次元空間画像をそれぞれ異なる視点から見たように生成された複数の２次元平面画像が記録された記録媒体から、上記３次元空間画像を所定の上記視点から見たように生成された上記２次元平面画像を読み出し、当該読み出した上記２次元平面画像を表示する表示ステップと、
上記２次元平面画像を表示している状態で、上記３次元空間画像を見るための上記視点を変更するように指示されると、変更後の上記視点から上記３次元空間画像を見たように生成された上記２次元平面画像を上記記録媒体から読み出し、当該読み出した上記２次元平面画像を表示するように制御する表示制御ステップと
を具える表示方法。
【請求項１４】
コンテンツ毎の印象を表すための３種類の項目それぞれを数値化して得られる第１乃至第３の印象項目値を３次元空間座標として、複数の当該３次元空間座標にそれぞれ上記コンテンツを示すコンテンツ表示子が配置された３次元空間画像をそれぞれ異なる視点から見たように生成された複数の２次元平面画像が記録された記録媒体から、上記３次元空間画像を所定の上記視点から見たように生成された上記２次元平面画像を読み出し、当該読み出した上記２次元平面画像を表示用として外部装置に送信する送信ステップと、
上記２次元平面画像を表示している上記外部装置から、上記３次元空間画像を見るための上記視点を変更するように要求されたことにより送信された要求情報を受信する受信ステップと、
上記受信した上記要求情報の示す変更後の上記視点から上記３次元空間画像を見たように生成された上記２次元平面画像を上記記録媒体から読み出し、当該読み出した上記２次元平面画像を上記外部装置に送信するように制御する送信制御ステップと
を具える画像提供方法。
【請求項１５】
コンピュータに対し、
コンテンツ毎の印象を表すための３種類の項目それぞれを数値化して得られる第１乃至第３の印象項目値を３次元空間座標として、複数の当該３次元空間座標にそれぞれ上記コンテンツを示すコンテンツ表示子が配置された３次元空間画像をそれぞれ異なる視点から見たように生成された複数の２次元平面画像が記録された記録媒体から、上記３次元空間画像を所定の上記視点から見たように生成された上記２次元平面画像を読み出し、当該読み出した上記２次元平面画像を表示する表示ステップと、
上記２次元平面画像を表示している状態で、上記３次元空間画像を見るための上記視点を変更するように指示されると、変更後の上記視点から上記３次元空間画像を見たように生成された上記２次元平面画像を上記記録媒体から読み出し、当該読み出した上記２次元平面画像を表示するように制御する表示制御ステップと
を実行させるための表示プログラムを記録したコンピュータ読取可能な記録媒体。
【請求項１６】
コンピュータに対し、
コンテンツ毎の印象を表すための３種類の項目それぞれを数値化して得られる第１乃至第３の印象項目値を３次元空間座標として、複数の当該３次元空間座標にそれぞれ上記コンテンツを示すコンテンツ表示子が配置された３次元空間画像をそれぞれ異なる視点から見たように生成された複数の２次元平面画像が記録された記録媒体から、上記３次元空間画像を所定の上記視点から見たように生成された上記２次元平面画像を読み出し、当該読み出した上記２次元平面画像を表示用として外部装置に送信する送信ステップと、
上記２次元平面画像を表示している上記外部装置から、上記３次元空間画像を見るための上記視点を変更するように要求されたことにより送信された要求情報を受信する受信ステップと、
上記受信した上記要求情報の示す変更後の上記視点から上記３次元空間画像を見たように生成された上記２次元平面画像を上記記録媒体から読み出し、当該読み出した上記２次元平面画像を上記外部装置に送信するように制御する送信制御ステップと
を実行させるための画像提供プログラムを記録したコンピュータ読取可能な記録媒体。